(57)【特許請求の範囲】
【請求項１】
灰皿ケースと、この灰皿ケースにその基部を枢支した上蓋と、この灰皿ケース内に配置したタバコ挿入用中空円筒と、このタバコ挿入用中空円筒内面に配置せしめた灰除去体とより成り、上記タバコ挿入用中空円筒の基部が上記上蓋の下面に固定されており、上記灰除去体に支杆の一端を連結し、その他端を上記開閉蓋の枢支部の下方位置において上記灰皿ケースに枢支して上記灰皿ケースを上記上蓋によって閉じたとき上記タバコ挿入用中空円筒と上記灰除去体の一方を他方に対し相対的に移動できるようにしたことを特徴とするタバコの火消し機能付灰皿。
【請求項２】
上記灰除去体が球状灰除去体より成る事を特徴とする請求項１記載のタバコの火消し機能付灰皿。
【請求項３】
上記灰除去体が円板状灰除去体より成ることを特徴とする請求項１記載のタバコの火消し機能付灰皿。
【請求項４】
上記支杆の長さが上記上蓋を回動して上蓋によって上記灰皿ケースを完全に閉じたとき、上記灰除去体が上記タバコ挿入用中空円筒の先端部に達するようになる長さである事を特徴とする請求項１、２または３記載のタバコの火消し機能付灰皿。
【発明の詳細な説明】
【０００１】
【発明の属する技術分野】
本発明はタバコの火消し機能付灰皿、特に火消し具の孔をクリーニング可能なタバコの火消し機能付灰皿に関するものである。
【０００２】
【従来の技術】
従来、灰皿に設けた火消し孔に火の付いたタバコを挿入し、孔内を酸欠状態として消火せしめるものとしては実開平６−２３４９８号公報や実開平７−７４９４号公報に示されたものがある。
【０００３】
【発明が解決しようとする課題】
然しながら従来、火消し孔で消火する時は数秒間経たないと安全に消火しない為、使用者は火消し孔でタバコをもみ消すことが多い。タバコを火消し孔で数本もみ消すと孔内部が灰により詰まってしまい火消し孔本来の機能を奏しない。このため火消し孔底部に灰抜き孔を設けたものもあるがあまり効果がなかった。
【０００４】
本発明は火消し孔内を積極的にクリーニングして上記の欠点を除去するようにしたものである。
【０００５】
【課題を解決するための手段】
本発明のタバコの火消し機能付灰皿は、灰皿ケースと、この灰皿ケースにその基部を枢支した上蓋と、この灰皿ケース内に配置したタバコ挿入用中空円筒と、このタバコ挿入用中空円筒内面に配置せしめた灰除去体とより成り、上記タバコ挿入用中空円筒の基部が上記上蓋の下面に固定されており、上記灰除去体に支杆の一端を連結し、その他端を上記開閉蓋の枢支部の下方位置において上記灰皿ケースに枢支して上記灰皿ケースを上記上蓋によって閉じたとき上記タバコ挿入用中空円筒と上記灰除去体の一方を他方に対し相対的に移動できるようにしたことを特徴とする。
【０００６】
上記灰除去体は、球状灰除去体より成ることを特徴とする。
【０００７】
上記灰除去体は、円板状灰除去体より成ることを特徴とする。
【０００８】
上記支杆の長さは、上記上蓋を回動して上蓋によって上記灰皿ケースを完全に閉じたとき、上記灰除去体が上記タバコ挿入用中空円筒の先端部に達するようになる長さである事を特徴とする
【０００９】
【発明の実施の形態】
以下図面によって本発明の実施例を説明する。
【００１０】
図１〜図３において１は上が開いた箱状の灰皿ケース、２はその一端を上記灰皿ケース１の一側上面の第１の位置に枢支ピン３を介してその基部を回動自在に枢支した上蓋を示す。本発明の第１の実施例においては図１に示すように上蓋２を垂立して灰皿ケース１の上面を開いた状態で斜め前方に開口したタバコ挿入用中空円筒９を上蓋２の基部下面に一体に固定し、この中空円筒９の内面に球状灰除去体１５を配置せしめ、この球状灰除去体１５にその一端を固定した支杆１６の他端を上記灰皿ケース１の上記第１の位置より下方の第２の位置における上記灰皿ケース１の一側内面に枢支ピン１７を介して回動自在に枢支せしめ、上記支杆１６の長さは上記上蓋２を回動して図３に示すように上蓋２によって上記灰皿ケース１を完全に閉じたとき、上記球状灰除去体１５が上記中空円筒９の先端部に達する大きさならしめる。
【００１１】
本発明の第１の実施例は上記のような構成であるからその使用に際しては図４に示すように上蓋２を垂立した状態でタバコ７を中空円筒９内に上方から挿入して火の付いた部分を球状灰除去体１５に接触せしめる。
【００１２】
次いで上蓋２を閉じれば図５から図６の状態でタバコ７が中空円筒９から離脱し、同時に球状灰除去体１５の枢支点と上蓋２の枢支点のずれに起因して球状灰除去体１５が中空円筒９内を軸方向に移動しその先端部に達するから中空円筒９内の灰８が完全に除去されるようになる。
【００１３】
図７〜図９は本発明の第２の実施例を示し、この実施例においては球状灰除去体１５の代りに円板状灰除去体１８を用いる。
【００１４】
この第２の実施例においては円板状灰除去体１８の外周面が中空円筒９の内周面に面として接するため中空円筒９の傾斜角が上蓋２の開閉に応じて変っても常時同軸状の姿勢を取る必要がある。そのため上記支杆１６の代りに一端を円板状灰除去体１８に枢支ピン１９を介して回動自在に枢支し、他端を上記灰皿ケース１の上面一側の上記第２の位置に枢支ピン１７を介して回動自在に枢支したリンク２０を用いる。
【００１５】
本発明の第２の実施例は上記のような構成であるからその使用に際しては図１０に示すように上蓋２を垂立した状態でタバコ７を中空円筒９内に上方から挿入して火の付いた部分を円板状灰除去体１８に接触せしめる。
【００１６】
次いで上蓋２を閉じれば図１１から図１２の状態でタバコ７が中空円筒９から離脱し、同時に円板状灰除去体１８の枢支点と上蓋２の枢支点のずれに起因して円板状灰除去体１８が中空円筒９内を軸方向に移動しその先端部に達するから中空円筒９内の灰８が完全に除去される。
【００１７】
上記第２の実施例の作用効果は上記第１の実施例と同様である。
【００１８】
なお、上記第１の実施例における支杆１６及び上記第２の実施例におけるリンク２０の代りにつる巻きばね（図示せず）を用いても良い。
【００１９】
また、上記各実施例における上蓋２はスプリング（図示せず）によって常時垂立するように抑制せしめ、灰皿ケース１内を常時開くようにしても良い。
【００２０】
【発明の効果】
本発明のタバコの火消し機能付灰皿によれば、火消し円筒内の灰による詰まりを確実に防ぐことが出来ると共に、手を汚すこともない等大きな利益がある。
【図面の簡単な説明】
【図１】  本発明のタバコの火消し機能付灰皿の第１の実施例を示す縦断面図である。
【図２】  図１に示すタバコの火消し機能付灰皿の動作説明図である。
【図３】  図１に示すタバコの火消し機能付灰皿の動作説明図である。
【図４】  図１に示すタバコの火消し機能付灰皿の動作説明図である。
【図５】  図１に示すタバコの火消し機能付灰皿の動作説明図である。
【図６】  図１に示すタバコの火消し機能付灰皿の動作説明図である。
【図７】  本発明のタバコの火消し機能付灰皿の第２の実施例を示す縦断面図である。
【図８】  図７に示すタバコの火消し機能付灰皿の動作説明図である。
【図９】  図７に示すタバコの火消し機能付灰皿の動作説明である。
【図１０】  図７に示すタバコの火消し機能付灰皿の動作説明である。
【図１１】  図７に示すタバコの火消し機能付灰皿の動作説明である。
【図１２】  図７に示すタバコの火消し機能付灰皿の動作説明である。
【符号の説明】
１    灰皿ケース
２    上蓋
３    枢支ピン
７    タバコ
８    灰
９    中空円筒
１５    球状灰除去体
１６    支杆
１７    枢支ピン
１８    円板状灰除去体
１９    枢支ピン
２０    リンク
【図１】
0004022435.tif 000002
【図２】
0004022435.tif 000003
【図３】
0004022435.tif 000004
【図４】
0004022435.tif 000005
【図５】
0004022435.tif 000006
【図６】
0004022435.tif 000007
【図７】
0004022435.tif 000008
【図８】
0004022435.tif 000009
【図９】
0004022435.tif 000010
【図１０】
0004022435.tif 000011
【図１１】
0004022435.tif 000012
【図１２】
0004022435.tif 000013